(57)【要約】【課題】  この発明の目的は、トイレブース内での炎を検知するようにしたトイレ装置を提供することにある。【解決手段】  各トイレブース内にそれぞれの自動洗浄装置とは別に炎検知部材をそれぞれ配設し、炎検知部材の信号を自動洗浄装置のコントロールボックス１１内の制御部１２に接続し、制御部１２が炎検知部材の信号を受け取った時はスピーカー１３を介してトイレブース内に居る使用者に注意を喚起するとともに、外部の管制室に通知して炎により発生する火災等の大惨事を未然に防止するようにした。【選択図】  図３
2007113251.tif 000002
【特許請求の範囲】
【請求項１】
トイレブースの内部に配置されるとともに、使用後に自動洗浄装置を作動して便器内を流水して洗浄するようにしたトイレ装置において、
前記トイレブースの内壁に炎を検知して信号を発する炎検知センサーを配設するとともに、この炎検知センサーの信号を前記自動洗浄装置のコントロールユニットの制御部に接続し、炎検知センサーの信号を受け取った時にコントロールユニットの制御部がスピーカーを介して使用者に注意を喚起するとともに、外部に信号を発するようにしたことを特徴とするトイレ装置。
【請求項２】
前記トイレブースが複数の場合には前記炎検知センサーは各トイレブースの内壁にそれぞれ配設される請求項１記載のトイレ装置。
【請求項３】
前記炎検知センサーはトイレブースの内壁のうちの上方に配置され、トイレブース使用者が触れないようになっている請求項１、２記載のトイレ装置。
【請求項４】
前記コントロールユニットの制御部が外部に発した信号は管制室に設けた監視盤に接続され、監視者に炎を検知したことを知らせるようになっている請求項１記載のトイレ装置。
【請求項５】
トイレブースの内部に配置されるとともに、使用後に自動洗浄装置を作動して便器内を流水して洗浄するようにしたトイレ装置において、
前記自動洗浄装置のコントロールユニットに便座に居る人を感知して信号を発する人感知センサーを配設するとともに、前記トイレブースの内壁に炎を検知して信号を発する炎検知センサーを配設して人感知センサーと炎検知センサーとを前記自動洗浄装置のコントロールユニットの制御部に接続し、制御部は人感知センサーの信号の時間に応じて小用、大用を判別してそれに応じた流水時間を設定する一方、自動的に流水する旨のガイドおよびせせらぎ音等の擬音をスピーカーを通して発し、炎検知センサーの信号を受け取った時にはスピーカーを介して使用者に注意を喚起するとともに、外部に信号を発するようにしたことを特徴とするトイレ装置。
【請求項６】
前記トイレブースが複数の場合には前記炎検知センサーは各トイレブースの内壁にそれぞれ配設される請求項５記載のトイレ装置。
【請求項７】
前記炎検知センサーはトイレブースの内壁のうちの上方に配置され、トイレブース使用者が触れないようになっている請求項５、６記載のトイレ装置。
【請求項８】
前記コントロールユニットの制御部が外部に発した信号は管制室に設けた監視盤に接続され、監視者に炎を検知したことを知らせるようになっている請求項５記載のトイレ装置。
【発明の詳細な説明】
【技術分野】
【０００１】
この発明はトイレ装置に関し、特に、トイレブース内での炎を検知するようにしたトイレ装置に関するものである。
【背景技術】
【０００２】
一般に、トイレ装置にあっては、使用後に流水して排泄物を流すとともに、トイレを洗浄するようになっている。そしてたとえば、実開平５−０６００６９号公報に示すものはリモコン操作によってフラッシュ弁を駆動するようになっているとともに、使用者がトイレ内に存在するときのみ液晶表示部のバックライトを点灯して不要な電力消費をなくすことのできるようになっているものが知られている。
【０００３】
この実開平５−０６００６９号公報に示すものは、使用者によって操作されたリモコン信号を送信するリモコン操作部と、リモコン信号を受信して所定の指令内容の出力を行う制御部を備え、この制御部によってフラッシュ弁駆動装置等の被制御装置の操作を行うようになっている。さらに、前記リモコン信号を送信する装置が設置されている場所に使用者が存在するか否かを検出し、使用者の存否に応じた検出信号を出力する使用者検出部を設けるとともに、前記リモコン操作部の液晶表示部に液晶用バックライトを備え、前記使用者の存否による検出信号に応じて前記バックライトの点灯を制御する制御部を設けてある。
【０００４】
上記のように構成された一般的なトイレ装置にあっては、トイレブース内の使用者の有無については検出可能となっていて、その有無に応じて、たとえば、使用者が操作するリモコン操作部の液晶表示部内に液晶用バックライトを点灯する等して使用者が操作し易くしている。
【０００５】
しかしながら、使用者が操作し易くすることが出来ても、使用者の操作によって初めて種々の制御がなされるようになっているので、使用者がブース内で好ましくない事、たとえば、大惨事を招きかねないことを行ったとしても、それを監視することはできなかった。この場合、トイレブースの内部を監視するカメラ等を設けることは法律上許されることではなく、このため現状では使用者の良識に任せるしか手段はなかった。
【特許文献１】実開平５−０６００６９号公報
【発明の開示】
【発明が解決しようとする課題】
【０００６】
そして、上記のような特許文献１に示すものの場合には、使用者の存否に応じた検出信号を出力する使用者検出部を設けて前記リモコン操作部の液晶表示部に液晶用バックライトを配設し、前記使用者の存否の検出信号に応じてリモコン操作部に設けた液晶表示部の液晶バックライトを点滅し、使用者が存在する時には液晶バックライトを点灯することによりリモコン操作をし易くしていた。したがって、トイレブース内で使用者が好ましくない行動、たとえばライターで火を付ける等の行動をした際には、その行動を検知するという機能はまったく無く、このために大惨事を招く恐れが存在していた。特に公共的な場所での行動には非常に問題があった。
【０００７】
この発明の目的は、トイレブース内で使用者が好ましく無い行動をとった時にそれを検知して使用者に知らせて注意を喚起するとともに、他の場所、たとえば管制室に知らせ、好ましくない行動から生じる大惨事等を未然に防止することができるトイレ装置を提供することである。
この発明の他の目的は、使用者が所定の時間以上トイレブース内に滞在した場合には、その滞在時間に応じて小用、大用を判別して流水の時間を設定するとともに滞在時間中は擬音を発するようにし、しかも、滞在中に使用者が好ましく無い行動をとった時にそれを検知して使用者に知らせて注意を喚起するとともに、他の場所、たとえば管制室に知らせ、好ましくない行動から生じる大惨事等を未然に防止することができるトイレ装置を提供することである。
【課題を解決するための手段】
【０００８】
上記の問題点を解決するためにこの発明は、トイレブースの内部に配置されるとともに、使用後に自動洗浄装置を作動して便器内を流水して洗浄するようにしたトイレ装置において、前記トイレブースの内壁に炎を検知して信号を発する炎検知センサーを配設するとともに、この炎検知センサーの信号を前記自動洗浄装置のコントロールユニットの制御部に接続し、炎検知センサーの信号を受け取った時にコントロールユニットの制御部がスピーカーを介して使用者に注意を喚起するとともに、外部に信号を発するように構成した。
そして、トイレブースが複数の場合には前記炎検知センサーは各トイレブースの内壁にそれぞれ配設され、炎検知センサーはトイレブースの内壁のうちの上方に配置されてトイレブース使用者が触れないようになっている。また、コントロールユニットの制御部が外部に発した信号は管制室に設けた監視盤に接続され、監視者に炎を検知したことを知らせるようになっている。
また、この発明は、トイレブースの内部に配置されるとともに、使用後に自動洗浄装置を作動して便器内を流水して洗浄するようにしたトイレ装置において、前記自動洗浄装置のコントロールユニットに便座に居る人を感知して信号を発する人感知センサーを配設するとともに、前記トイレブースの内壁に炎を検知して信号を発する炎検知センサーを配設して人感知センサーと炎検知センサーとを前記自動洗浄装置のコントロールユニットの制御部に接続し、制御部は人感知センサーの信号の時間に応じて小用、大用を判別してそれに応じた流水時間を設定する一方、自動的に流水する旨のガイドおよびせせらぎ音等の擬音をスピーカーを通して発し、炎検知センサーの信号を受け取った時にはスピーカーを介して使用者に注意を喚起するとともに、外部に信号を発するように構成した。
そして、トイレブースが複数の場合には前記炎検知センサーは各トイレブースの内壁にそれぞれ配設され、炎検知センサーはトイレブースの内壁のうちの上方に配置され、トイレブース使用者が触れないようになっている。また、コントロールユニットの制御部が外部に発した信号は管制室に設けた監視盤に接続され、監視者に炎を検知したことを知らせるようになっている。
【発明の効果】
【０００９】
この発明は前記の構成を有しているので、トイレブース内で使用者が好ましくない行動をとった時にはそれを感知して使用者に注意を促すとともに、外部、たとえば管制室に通知することで好ましくない行動から生じる大惨事等を未然に防止することができる。
さらにこの発明は、使用者がトイレブース内に滞在している時間を感知して、滞在時間に応じて小用、大用を判別するとともに、それに応じた流水時間とするとともに、滞在時間中は擬音を発するようにでき、また、滞在中に使用者が好ましくない行動をとった時には使用者に知らせて注意を喚起できる。さらに、滞在中に使用者が好ましくない行動をとった事を、外部の管制室等に知らせるようにできる。
【発明を実施するための最良の形態】
【００１０】
以下、この発明の実施の形態について説明する。図１はこの発明によるトイレ装置が各トイレブースに設けられたトイレ室の概略平面図、図２は各トイレブースにそれぞれ設けられたトイレ装置の各部材を示す概略図である。
なお、実施の形態においてはフラッシュ弁タイプのトイレ装置を示すが、流水の方式はフラッシュ弁タイプのものに限定することなく、電動弁タイプ、電磁フラッシュタイプ、電磁弁タイプ、ロータンクタイプのものであっても良い。
【００１１】
このトイレ室１は入口の左側にパウダールーム２が、その先には５つのトイレブース３、３……３が、さらに、最先部分には制御盤４Ａが設けられた制御室４がそれぞれ設けられ、この制御室４および各トイレブース３、３……３内のコントロールボックス１１とは外部の管制室５との間を有線あるいは無線によって接続されている。
そして、各トイレブース３、３……３内には図２に示すように便器１５に隣接して自動洗浄器本体６と、非常スイッチ７、流水スイッチ８、人感知センサー９、および炎検知センサー１０が設けられ、これら６、７、８、９、１０が図３に示すコントロールボックス１１と有線あるいは無線によって接続している。
【００１２】
上記人感知センサー９はコントロールボックス１１内に設けられ、さらに、このコントロールボックス１１には、前記各センサー９、１０、スイッチ７、８と接続している制御部１２、スピーカー１３、非接触スイッチセンサー１４等が収納されている。
したがって、各トイレブース３、３……３の内部には図４に示すような配置でフラッシュ弁駆動式トイレ装置を構成する、自動洗浄器本体６、非常スイッチ７、流水スイッチ８、人感知センサー９、炎検知センサー１０、およびコントロールボックス１１が配設されている。
【００１３】
なお、図４においては非常スイッチ７は流水スイッチ８の奥方に重なって位置しているとともに、人感知センサー９はコントロールボックス１１の内部に位置しているので自動洗浄器本体６、流水スイッチ８、炎検知センサー１０およびコントロールボックス１１のみを表示している。
【００１４】
つぎに図５、図６に示すフラッシュ弁流水動作フローのスイッチ動作および人感知センサー作動について説明する。
まず、図５に示すようにフラッシュ弁流水動作を開始するために流水スイッチ８の押しボタンスイッチおよびセンサースイッチを作動させる。これにより、自動洗浄器本体６内のモーター駆動部６Ａが駆動して流水を開始する。この開始によりコントロールボックス１１内の制御部１２が起動して、流水設定時間を経過したかどうかを判別し、設定時間に至らない時は流水を継続し、また、設定時間に至った時は自動洗浄器本体６内のモーター駆動部６Ａを駆動して流水を停止し、フラッシュ弁流水動作を終了する。
【００１５】
上記のことを人感知センサー９の作動によって行う場合は図６に示すように、まず待機状態から開始させると、コントロールボックス１１内の制御部１２が人感知センサー９の信号を受け取って人の存在を感知し、この信号の制御部１２での受け取り時間が所定時間（この場合は２秒）以上か否かを判別する。そして所定時間（この場合は２秒）以内の場合には該当するトイレブース３内に入った人が何もせずに出ていったとして初期の開始の状態で待機する。
【００１６】
また、所定時間（この場合は２秒）以上の場合には小用あるいは大用をたしたものとして音声ガイダンス（このトイレは自動で流水する等の説明）を行うとともに、せせらぎ音等の擬音を出力する。
これとともに、人を感知し続け、感知しているのであれば前記音声ガイダンスおよび擬音を継続して行い、一方、人を感知しなくなった時は自動洗浄器本体６のフラッシュ弁のモーター駆動部６Ａを駆動して流水を開始する。この場合人を感知した時間に応じて小用、大用の内容を判別するので、内容に応じた時間だけ流水を行う。したがって、小用、大用に応じた時間だけ流水を行い、時間の経過後は流水を停止する。これによって終了し待機状態となるものである。
【００１７】
なお、フラッシュ弁駆動式のトイレ装置においては、各トイレブース３、３、……３内の便器１５に隣接して自動洗浄器本体６が配設され、小用、あるいは大用時に使用者の手が届く範囲内の壁面には、非常スイッチ７、流水スイッチ８、およびコントロールボックス１１が配設され、さらに、壁面には炎検知センサー１０が配設されている。さらに、前記コントロールボックス１１の内部には人感知センサー９が配設されている。なお、炎検知センサー１０は使用者の手が届く範囲や届かない範囲のいずれであっても良いが、悪戯されたりするのを防止するためには手が届かない範囲に設置するのが好ましい。
【００１８】
炎検知センサー１０の動作フローは図７に示されており、この動作フローにおいては、警報音出力が有る場合と警報信号出力が有る場合とを同時に示している。まず待機状態から開始すると検知状態となる。そして、炎検知センサー１０の炎検知部１０Ａでトイレブース３内の炎を検知した時はコントロールボックス１１の制御部１２に検出信号を送信する。
【００１９】
これによって、前記コントロールボックス１１の制御部１２において、警報音の出力および警報信号の出力が開始される。警報音の出力の時間設定は任意に設定可能であり、設定時間だけ警報音を出力し、設定時間が経過した時は警報音の出力を停止し、これにより終了するとともに、初期の待機状態となる。また、警報信号の出力時間の設定も任意に設定可能であり、設定時間だけ警報信号を出力し、設定時間が経過した時は警報信号の出力を停止し、これにより終了するとともに、初期の待機状態となる。
【００２０】
さらに、警報信号は有線あるいは無線によって外部の管制室５に送信されるようになっている。
【００２１】
図８および図９は上記の炎検知の動作フローを警報音の出力が有る場合と、警報信号の出力が有る場合とをそれぞれ別個に示してある。
【００２２】
図８には警報音の出力が有る炎検知の動作フローが示されており、待機状態から開始すると、常に各トイレブース３、３、……３内の炎の有無を炎検知センサー１０の炎検知部１０Ａで検知しており、炎を炎検知部１０Ａで検知すると検出信号が出力される。この検出信号は、有線あるいは無線によってコントロールボックス１１の制御部１２に送信され、コントロールボックス１１のスピーカー１３から警報音（警告音声の場合あり）が発せられ、予め設定した警報音の出力時間に達するまで続けられる。そして予め設定した警報音の出力時間に達した時は警報音を停止して終了し、待機状態となる。
【００２３】
図９には警報信号の出力が有る炎検知動作フローが示されており、待機状態から開始すると、常に各トイレブース３、３、……３内の炎の有無を炎検知センサー１０の炎検知部１０Ａで検知しており、炎を炎検知部１０Ａで検知すると検出信号が出力される。この検出信号は、有線あるいは無線によってコントロールボックス１１の制御部１２に送信され、コントロールボックス１１の制御部１２から警報信号が出力され、予め設定した警報信号の出力時間に達するまで続けられる。そして予め設定した警報信号の出力時間に達した時は警報信号を停止して終了し、待機状態となる。
なお、図示しないがコントロールボックス１１から発せられる警報音の出力は有線あるいは無線によって外部の管制室５に送信されるものである。
【００２４】
図１０には無線によって炎検出信号を外部に送信するタイプの炎検知ユニット２１のブロック図が示されており、炎検知ユニット２１は制御部２３に電源部２２と、炎検知センサー１０を含む炎センサー部２４と、無線送信部２５とが接続されている。
そして、炎検知ユニット２１は各トイレブース３、３、……３の壁面にそれぞれ取り付けられている。
なお、有線によって制御部２３から出力される炎検出信号を外部に送信するタイプの炎検知ユニットであっても良い。
【００２５】
図１１にはコントロールボックス１１の内部に配設されるコントロールユニット３１のブロック図が示されており、このコントロールユニット３１の制御部３５には人感知センサー９を含む人感知センサー部３２の検出信号と、コントロールユニット３１とは別個に配置されている炎検知ユニット２１の出力信号（有線あるいは無線）を受け取る受信部３３とが接続され、さらに、後述するとともに外部に配置されているモーター駆動ユニット４１へ信号を出力可能である。
【００２６】
また、前記制御部３５からの信号はコントロールユニット３１の内部のガイダンス部３６と擬音部３７と警報部３８とに出力可能である。そして、それらからの出力はスピーカー１３に接続されているので、人感知センサー部３２の感知時間に応じて小用、大用を判別してそれに応じたガイダンスを流すことができるとともに、小川のせせらぎ音等の擬音を発生させることができ、さらに、炎検知ユニット２１からの信号を受け取った時にはトイレブース内に注意を喚起するような内容の説明を行えるとともに、外部の管制室５に知らせることができる。
【００２７】
図１２にはモーター駆動ユニット４１のブロック図が示されており、このモーター駆動ユニット４１はたとえばプランジャー等の駆動によって流路を開閉して開度調整して流水するようになっており、コントロールユニット３１の制御部３５からの信号を受けて位置センサー部４２が信号に応じた開度調整信号を発してモーター４３を駆動させるようになっている。
【００２８】
この発明は前記の構成を具えているので各トイレブース内で炎検知センサーが炎を検知した時は、トイレブース内にいる人に注意を喚起するとともに、外部の管制室に炎を検知した旨を通知する。これによって、トイレブースの使用者が炎を用いたことにより発生する火災等の大惨事を未然に防止することができる。
またこの発明は、使用者がトイレブース内に滞在している時間を感知して、滞在時間に応じて小用、大用を判別するとともに、それに応じた流水時間とするとともに、滞在時間中は擬音を発するようにでき、また、滞在中に使用者が好ましくない行動をとった時には使用者に知らせて注意を喚起できるとともに、外部の管制室等に知らせるようにできる。
【図面の簡単な説明】
【００２９】
【図１】この発明によるトイレ装置の配置図である。
【図２】トイレ装置に配設された各種スイッチを示す説明図である。
【図３】各種センサーの信号を受け取って各駆動信号等を出力する制御部を収納するコントロールボックスを示す概略図である。
【図４】各トイレブースの内部に配置されるセンサー等を示す概略配置図である。
【図５】スイッチ作動によるフラッシュ弁流水動作フローを示す説明図である。
【図６】人感知センサー作動によるフラッシュ弁流水動作フローを示す説明図である。
【図７】警報音の出力が有る場合と警報信号の出力が有る場合との炎検知動作フローを示す説明図である。
【図８】警報音の出力が有る場合の炎検知動作フローを示す説明図である。
【図９】警報信号の出力が有る場合の炎検知動作フローを示す説明図である。
【図１０】炎検知ユニットの概念図である。
【図１１】コントロールユニットの概念図である。
【図１２】モーター駆動ユニットの概念図である。
【符号の説明】
【００３０】
１  トイレ室
２  パウダールーム
３  トイレブース
４  制御室
４Ａ  制御盤
５  管制室
６  自動洗浄器本体
６Ａ  モーター駆動部
７  非常スイッチ
８  流水スイッチ
９  人感知センサー
１０  炎検知センサー
１０Ａ  炎検知部
１１  コントロールボックス
１２  制御部
１３  スピーカー
１４  非接触スイッチセンサー
１５  便器
２１  炎検知ユニット
２２  電源部
２３  制御部
２４  炎センサー部
２５  無線送信部
３１  コントロールユニット
３２  人感知センサー部
３３  受信部
３５  制御部
３６  ガイダンス部
３７  擬音部
３８  警報部
４１  モーター駆動ユニット
４２  位置センサー部
４３  モーター
【図１】
2007113251.tif 000003
【図２】
2007113251.tif 000004
【図３】
2007113251.tif 000005
【図４】
2007113251.tif 000006
【図５】
2007113251.tif 000007
【図６】
2007113251.tif 000008
【図７】
2007113251.tif 000009
【図８】
2007113251.tif 000010
【図９】
2007113251.tif 000011
【図１０】
2007113251.tif 000012
【図１１】
2007113251.tif 000013
【図１２】
2007113251.tif 000014